(57)【要約】【課題】  簡単に仰角を調整でき、使用の必要に応じて、移動できるという液晶ディスプレーの簡便性を発揮させるディスプレーのハンドル一体スタンドを提供すること。【解決手段】  ハンドル部を有するスタンド部材、および、当該スタンド部材をディスプレー筐体に対して、ディスプレー筐体の重心に近傍し移動できる取付け位置において、取付けるための取付け手段からなり、当該ディスプレー筐体は当該スタンド部材により起立させることができ、当該スタンド部材をディスプレー筐体の背面に対して取付け位置を変更することにより当該ディスプレーを仰角調節できるようにしたディスプレーのハンドル一体型スタンド。【選択図】  図１
2005265954.tif 000002
【特許請求の範囲】
【請求項１】
ハンドル部を有するスタンド部材、および、当該スタンド部材をディスプレー筐体に対して、ディスプレー筐体の重心に近傍し移動できる取付け位置において、取付けるための取付け手段からなり、当該ディスプレー筐体は当該スタンド部材により起立させることができ、当該スタンド部材をディスプレー筐体の背面に対して取付け位置を変更することにより当該ディスプレーを仰角調節できるようにしたディスプレー一体型スタンドを備えた電子機器。
【請求項２】
上方部分にハンドル部、および、下方部分に脚部を有し、当該上方部分と下方部分を連結する湾曲連結部を有するスタンド部材、および、当該スタンド部材をディスプレー筐体に対して、ディスプレー筐体の重心に近傍し移動できる取付け位置において、当該湾曲連結部の凸面を接触させて、取付けるための取付け手段からなり、当該ディスプレー筐体は当該スタンド部材により起立させることができ、当該スタンド部材をディスプレー筐体の背面に対して取付け位置を変更することにより当該ディスプレーを仰角調節できるようにしたディスプレー一体型スタンドを備えた電子機器。
【発明の詳細な説明】
【技術分野】
【０００１】
この発明は、電子機器などのディスプレーのハンドル一体型スタンド、特に、仰角調節機能を持ち、かつ、ディスプレーを携帯移動できるための取っ手となるハンドルを一体に有するハンドル一体型スタンドに関する。
【背景技術】
【０００２】
近年、液晶型のディスプレーが電子機器のユーザーインターフェースや、AV機器の視聴のために、多く、使用されるようになった。この液晶ディスプレーは、CRTのディスプレーと比較して、軽量であるため、簡単に仰角を調整でき、使用の必要に応じて、移動できるという簡便性を持っている。
ディスプレーを持ち運びするために、ハンドルをディスプレーに形成することは、製造費が高価になるので、ハンドルはディスプレーのスタンドに形成するのが望ましい。ディスプレーのハンドル一体型スタンドはこの液晶型ディスプレーの二つの簡便性を発揮させるために有用性がある。
【０００３】
一方、ディスプレーの仰角を調整できるようにするために、ディスプレーのさまざまな仰角調節機構は、特許文献１、特許文献２および特許文献３に記載されているように、知られている。特許文献１および特許文献２には、ヒンジによって仰角調節機構が提供され、特許文献３には、スライド機構によってされる例が記載されている。
しかし、これらの先行技術では、特許文献１の基台１１に、またはブラケット３に、携帯のためのハンドルをもうけても、また、特許文献２の第二ブラケット５などに携帯のハンドルをもうけても、また、特許文献３のスタンド１２の上方部分にハンドルをもうけても、ディスプレーの仰角を大きくした場合、ハンドルのディスプレーの背後位置に隠されて、ハンドルに対するユーザーの手のアクセスが容易でなくなる。また、使用場所への移動中、ディスプレーが地面に対して傾いて、移動しにくい。いずれも、液晶型ディスプレーの簡便性を十分に発揮させるものではなかった。
【０００４】
【特許文献１】実用新案出願公告番号実公平６−１０１９８号公報
【特許文献２】特許出願公開番号特開２０００−２１３５２６号公報
【特許文献３】特許出願公開番号特開２０００−２５０４１８号公報
【発明の開示】
【発明が解決しようとする課題】
【０００５】
この発明の課題は、簡単に仰角を調整でき、使用の必要に応じて、移動できるという液晶ディスプレーの簡便性を発揮させるディスプレーのハンドル一体スタンドを提供することである。
【課題を解決するための手段】
【０００６】
この発明の課題は、ハンドル部を有するスタンド部材、および、当該スタンド部材をディスプレー筐体に対して、ディスプレー筐体の重心に近傍し移動できる取付け位置において、取付けるための取付け手段からなり、当該ディスプレー筐体は当該スタンド部材により起立させることができ、当該スタンド部材をディスプレー筐体の背面に対して取付け位置を変更することにより当該ディスプレーを仰角調節できるようにしたディスプレーのハンドル一体型スタンドによって達成される。
【０００７】
また、この発明の課題は、特に、上方部分にハンドル部、および、下方部分に脚部を有し、当該上方部分と下方部分を連結する湾曲連結部を有するスタンド部材、および、当該スタンド部材をディスプレー筐体に対して、ディスプレー筐体の重心に近傍し移動できる取付け位置において、当該湾曲連結部の凸面を接触させて、取付けるための取付け手段からなり、当該ディスプレー筐体は当該スタンド部材により起立させることができ、当該スタンド部材をディスプレー筐体の背面に対して取付け位置を変更することにより当該ディスプレーを仰角調節できるようにしたディスプレーのハンドル一体型スタンドによって達成される。
【発明の効果】
【０００８】
この発明によると、ハンドル一体型スタンドは、ハンドル部がディスプレーの背面から常に、一定距離離間するように設計できるので、ディスプレーを大仰角となる位置にしても、ハンドル部が隠れることなく、ハンドルを簡単に使って、ディスプレーを移動できる。
【発明を実施するための最良の形態】
【０００９】
図１には、この発明の実施の最良形態が図示されている。番号１００は液晶ディスプレー筐体を示し、背面１０１を有する。スタンド部材２００は、ほぼ四角な枠状をなしている。この枠形状は、平行な上杆２０２と下杆２０４とこれらをその両端で上下に離間連結する二つの連結杆２０１と２０３からなる。この枠にかこまれたほぼ四角の開口部２００Aをスタンド部材２００は有する。連結杆２０１と２０３は、上下に延伸するが、凸曲面２０１Aと２０３Aを、ディスプレーの背面１０１に向かうように、均等の曲率で湾曲する。すなわち、連結杆２０１と２０３は、ディスプレー背面から離れる方向に湾曲しており、その上下の両端に位置する上記の上杆２０２と下杆２０４は、ディスプレー背面から離れて位置する。
【００１０】
図３（ａ）に示すように、連結杆２０３は、その上下の中央部分に横に貫通するスロット２０３Aを穿設する。スロット２０３Aの有する対向する長手方向の内壁２０３Bに複数のピニオン歯をそのスロット長手方向の全長に渡り形成する。このピニオン歯は、スロットの深さ方向には、ほぼ、二分の一まで延伸し、内側には、歯を形成しない、平坦な内壁表面２０３Cを残す。他の連結杆２０３は、無孔とする。
【００１１】
湾曲する連結杆２０１と２０３は、ディスプレー背面１０１に一体に固着された取付け手段よって取付けられる。この取付け手段は、ほぼ、ディスプレー背面の上下方向の中央位置に左右に設けられる。右の取付け手段は、ディスプレー背面に固着した一対の駒１１０Aと１１０Bとカバー１１０Cから形成される。また、左の取付け手段は、ディスプレー背面に固着したソケット体１２０を有する。
【００１２】
上記の右の取付け手段において、一対の駒１１０Aと１１０Bは、その間に、図５に示すように、溝１１０が形成される。この溝１１０には、図１に示すように、右の湾曲する連結杆２０１が遊嵌され、連結杆２０１が遊嵌された溝１１０はカバー１１０Cで閉鎖される。カバー１１０Cは図６に詳細を示すように、駒１１０Aと１１０Bに嵌着される。このようにして、右の連結杆２０１は、ディスプレー背面１０１に対して凸曲面２０１Aに沿って、上下方向に移動できるようにディスプレー背面に取り付けられている。
【００１３】
左の取付け手段のソケット体１２０は、図３（ｂ）に示すように、ソケット孔とソケット孔内に設けたコイルバネ１２２とを有する。さらに、ソケット体１２０は、その周面に長手方向に延伸し径方向において対向する位置に溝１２０Aと１２０Bとを含む。溝１２０Aと１２０Bは、その末端に隆起１２０Cと１２０Dを有する。ソケット体１２０は、そのソケット孔に挿入されたプラグ１２１を有する。
【００１４】
プラグ１２１は、図４に詳細に示すように、その対向端にヘッド１２１C、および、ヘッド１２１Cからプラグ方向に延伸する先端にフック１２１E及び１２１Fをそれぞれ持つ一対の係合脚１２１A及び１２１Bを持つ。この係合脚１２１Aと１２１Bは、溝１２０Aと１２０B内に延伸する。係合脚１２１A及び１２１Bのフック１２１E及び１２１Fは、図３に示すように、溝１２０Aと１２０Bの末端の隆起１２０Cと１２０Dに係合できる。さらに、ヘッド１２１Cには、その径方向に対向して突出した一対のラチェット１２１Dが形成されている。一対のラチェット１２１Dは、ヘッド１２１Cの軸方向全長に延伸せず、基端近傍にのみ延伸し、ヘッド１２１Cの先端部分には延伸しない。
【００１５】
上記のような取付け手段の構成において、プラグ１２１は、上記コイルバネ１２２によって、常時ソケット孔から突出する方向に付勢されている。しかし、プラグ１２１の係合脚１２１A及び１２１Bがソケット体の溝１２０Aと１２０Bの隆起１２０Cと１２０Dにそのフック１２１Eと１２１Fが係合するので、プラグ１２１はソケット孔から完全に抜け出すことがない。プラグ１２１は、この係合位置に、コイルバネ１２２の上記の付勢力によって、常時位置する。しかも、この位置において、プラグ１２１は、そのヘッド１２１Cに設けた一対のラチェット１２１Dがスタンド部材２００の連結杆２０３に設けたスロット２０３Aの内壁２０３Bに形成した複数のピニオン歯に噛合するように、ソケット体１２０とプラグ１２１、及び各部が寸法付けられている。このようにして、プラグ１２１はこのラチェット噛合位置に付勢されていることになる。
【００１６】
このユーザーが、ヘッド１２１Cを、この付勢力に抗して、押し込んで、ラチェット１２１Dを内壁２０３Bのピニオン歯との噛合関係から外して、平坦な内壁表面２０３Cにいたらせ、そのまま、その位置に押し続けると、スタンド部材の２００の湾曲する連結杆２０３は、スロット２０３A内にプラグ１２１のヘッド１２１Cを遊嵌させたままであり、ディスプレー背面１０１に対して凸曲面２０１Aに沿って、上下に移動可能となっている。このとき、スタンド部材は、上述したように右の連結杆２０１は溝１１０に常に遊嵌されているので、ユーザーは、図２に示すように、スタンド部材２００のディスプレーに対する取付け位置を手でスライドさせて、変更することができる。これにより、適切な仰角を与えるスタンド部材２００のディスプレーに対する取付け位置になったとき、ユーザーがプラグヘッド１２１C、すなわち、プラグ１２１への押圧力の印加をやめると、バネ１２２は、プラグ１２１を、ラチェット１２１Dとピニオン歯の内壁２０３Bの噛合位置へとその付勢力によって移動させ、その噛合位置において、スタンド部材２００は適切な仰角を与えるディスプレーに対する取付け位置に固定される。
【００１７】
上述したように、上杆２０２と下杆２０４は、ディスプレー背面から離れる方向に背面から離れて位置する。この離間位置は、どのような仰角位置調整を行って、スタンド部材２００のディスプレーに対する取付け位置を変更しても、変わらないので、スタンド部材の開口部２００Aを利用して、ハンドルとして上杆２０２、及びまたは、下杆２０４をつかむとき、ディスプレーの背面があいていて、ユーザーの手のアクセスが容易になる。
【００１８】
また、上述したように、スタンド部材の取付け位置は、ディスプレーのほぼ中央に位置しているので、スタンド部材の上杆２０２と下杆２０４をハンドルとして用いた場合、ディスプレーは地面に対して傾くことなく携帯運搬できるので、運搬中、ディスプレーが他に衝突する可能性も少なくなる。
【図面の簡単な説明】
【００１９】
【図１】この発明の実施例を示す斜視図、
【図２】この発明の実施例の仰角調整を模式的に示す側面図、
【図３（ａ）】この発明の実施例のスタンド部材の取付け手段を一部切欠いて示す図、
【図３（ｂ）】図３（ａ）に示すスタンド部材の取付け手段の要部拡大断面図、
【図４】この発明の実施例のプラグを示す斜視図、
【図５】この発明の実施例の右の取付け手段を分解して示す斜視図、
【図６】この発明の実施例の右の取付け手段を組立てて示す斜視図。
【符号の説明】
【００２０】
１００  液晶ディスプレー
１０１  ディスプレー背面
２００  スタンド部材
２０２  上杆
２０４  下杆
２０１，２０３  連結杆
１２０  ソケット体
１２１  プラグ
１１０A，１１０B  駒
２０３A  スロット
２０３B  スロット内壁
【図１】
2005265954.tif 000003
【図２】
2005265954.tif 000004
【図３（ａ）】
2005265954.tif 000005
【図３（ｂ）】
2005265954.tif 000006
【図４】
2005265954.tif 000007
【図５】
2005265954.tif 000008
【図６】
2005265954.tif 000009